(57)【特許請求の範囲】
【請求項１】
複数の異なる広告表示用情報を再生表示させるための制御情報ファイルを作成し広告表示用情報と共に広告表示装置に送信する広告作成配信サーバ装置と、該制御情報ファイルに基づいて上記複数の広告表示用情報を再生表示する広告表示装置と、イベント情報を検知し該広告表示装置に送信するロケーションサーバ装置とを備える広告配信表示システムにおいて、
上記広告作成配信サーバ装置は、
上記複数の広告表示用情報を広告表示用情報毎に所定の時間設定または所定の順番設定に基づいて順次再生表示させるためのスケジュールファイルと、上記複数の広告表示用情報から１つの広告表示用情報を選択して再生表示させるためのメニューファイルにおいて、閲覧者の操作に応答して表示させるためのデマンド型のメニューファイルと、上記メニューファイルにおいて上記ロケーションサーバ装置から受信したイベント情報に応答して表示させるためのプッシュ型のメニューファイルとを、少なくとも一部の広告表示用情報が共用されて表示されるように、制御情報ファイルとして作成して上記広告表示装置に送信する制御情報ファイル作成送信手段を備え、
上記ロケーションサーバ装置は、
該広告表示装置の将来的閲覧者の情報または該広告表示装置付近もしくは内部の状況を検知し、該広告表示装置に送信するイベント検知手段を備え、
上記広告表示装置は、
上記スケジュールファイル又は上記デマンド型メニューファイル若しくは上記プッシュ型メニューファイルを受信し、受信した上記スケジュールファイル又は上記デマンド型メニューファイル若しくは上記プッシュ型メニューファイルに基づいて上記複数の広告表示用情報を再生表示する広告再生手段と、
上記イベント検知手段からイベント情報を受信した場合に、該イベントの種類を判定し、該イベントの種類に応じた上記プッシュ型メニューファイルを選択するイベント種類判定手段と、
上記イベント検知手段から受信したイベント情報の有効性を判断し、有効である場合には、上記スケジュールファイルに基づいた上記広告表示用情報の再生表示から上記イベント種類判定手段により選択された上記プッシュ型メニューファイルに基づいた上記広告表示用情報の再生表示へ切り替え、また、予め設定されたメニュー終了条件を満たす場合には、上記スケジュールファイルに基づいた上記広告表示用情報の再生表示へ切り替える表示切替手段と、
を備えたことを特徴とする広告配信表示システム。
【請求項２】
請求項１に記載の広告配信表示システムにおいて、
上記広告再生手段が上記イベント種類判定手段によって選択された上記プッシュ型メニューファイルに基づく上記広告表示用情報の再生表示を行っている場合において、上記イベント検知手段から更に新たなイベント情報を受信したときは、予め設定されたイベントの優先順位情報に基づいて、現在の再生表示に係るイベントと該新たなイベントの優先度を判定し、該新たなイベントの優先順位が該現在の再生表示に係るイベントよりも高順位の場合に、上記イベント種類判定手段により選択された該新たなイベントに係る上記プッシュ型メニューファイルに基づいた上記広告表示用情報の再生表示へ切り替えることを上記表示切替手段に指示するイベント順位判定手段をさらに備えたことを特徴とする請求項１に記載の広告配信表示システム。
【請求項３】
複数の異なる広告表示用情報を再生表示させるための制御情報ファイルを作成し広告表示用情報と共に広告表示装置に送信する広告作成配信サーバ装置と、該制御情報ファイルに基づいて上記複数の広告表示用情報を再生表示する広告表示装置と、イベント情報を検知し該広告表示装置に送信するロケーションサーバ装置とを備える広告配信表示システムにおける広告配信表示方法であって、
上記広告作成配信サーバ装置において実行される、
上記複数の広告表示用情報を広告表示用情報毎に所定の時間設定または所定の順番設定に基づいて順次再生表示させるためのスケジュールファイルと、上記複数の広告表示用情報から１つの広告表示用情報を選択して再生表示させるためのメニューファイルにおいて、閲覧者の操作に応答して表示させるためのデマンド型のメニューファイルと、上記メニューファイルにおいて上記ロケーションサーバ装置から受信したイベント情報に応答して表示させるためのプッシュ型のメニューファイルとを、少なくとも一部の広告表示用情報が共用されて表示されるように、制御情報ファイルとして作成して上記広告表示装置に送信する制御情報ファイル作成送信ステップと、
上記ロケーションサーバ装置において実行される、
該広告表示装置の将来的閲覧者の情報または該広告表示装置付近もしくは内部の状況を検知し、該広告表示装置に送信するイベント検知ステップと、
上記広告表示装置において実行される、
上記スケジュールファイル又は上記デマンド型若しくは上記プッシュ型メニューファイルを受信し、受信した上記スケジュールファイル又は上記デマンド型若しくは上記プッシュ型メニューファイルに基づいて上記複数の広告表示用情報を再生表示する広告再生ステップと、
上記イベント検知ステップによってイベント情報を受信した場合に、該イベントの種類を判定し、該イベントの種類に応じた上記プッシュ型メニューファイルを選択するイベント種類判定ステップと、
上記イベント検知ステップによって送信されたイベント情報の有効性を判断し、有効である場合には、上記スケジュールファイルに基づいた上記広告表示用情報の再生表示から上記イベント種類判定ステップによって選択された上記プッシュ型メニューファイルに基づいた上記広告表示用情報の再生表示へ切り替え、また、予め設定されたメニュー終了条件を満たす場合には、上記スケジュールファイルに基づいた上記広告表示用情報の再生表示へ切り替える表示切替ステップと、
を含むことを特徴とする広告配信表示方法。
【請求項４】
複数の異なる広告表示用情報を１つずつ再生表示する広告表示装置において、
上記広告表示装置は、複数の異なる広告表示用情報を再生表示させるための制御情報ファイルを作成し広告表示用情報と共に広告表示装置に送信する広告作成配信サーバ装置と、イベント情報を検知し該広告表示装置に送信するロケーションサーバ装置とに接続されており、
上記複数の広告表示用情報と、上記複数の広告表示用情報を広告表示用情報ごとに所定の時間設定または所定の順番設定に基づいて順次再生表示させるためのスケジュールファイルと、該スケジュールファイルで使用される複数の広告表示用情報のうち少なくとも一部の広告表示用情報が共用されている複数の広告表示用情報から１つの広告表示用情報を選択して再生表示させるためのメニューファイルにおいて、閲覧者の操作に応答して表示させるためのデマンド型のメニューファイルと、上記メニューファイルにおいて上記ロケーションサーバ装置から受信したイベント情報に応答して表示させるためのプッシュ型のメニューファイルと、を格納する表示用情報格納手段と、
上記スケジュールファイル又は上記デマンド型若しくはプッシュ型メニューファイルに基づいて上記広告表示用情報を再生表示する広告再生手段と、
上記広告表示装置の将来的閲覧者の情報または該広告表示装置付近もしくは内部の状況を検知し該広告表示装置に送信する、ロケーションサーバ装置のイベント検知手段からイベント情報を受信した場合に、該イベントの種類に応じた上記プッシュ型メニューファイルを選択するイベント種類判定手段と、
上記イベント検知手段から受信したイベント情報の有効性を判断し、有効である場合には、上記スケジュールファイルに基づいた上記広告表示用情報の再生表示から上記イベント種類判定手段によって選択された上記プッシュ型メニューファイルに基づいた上記広告表示用情報の再生表示へ切り替え、また、予め設定されたメニュー終了条件を満たす場合には、上記スケジュールファイルに基づいた上記広告表示用情報の再生表示へ切り替える表示切替手段と、
を備えたことを特徴とする広告表示装置。
【請求項５】
複数の異なる広告表示用情報を１つずつ再生表示する、少なくとも記憶部と制御部を備えた広告表示装置において実行される広告表示プログラムであって、
上記広告表示装置は、複数の異なる広告表示用情報を再生表示させるための制御情報ファイルを作成し広告表示用情報と共に広告表示装置に送信する広告作成配信サーバ装置と、イベント情報を検知し該広告表示装置に送信するロケーションサーバ装置とに接続されており、
上記広告表示装置は、上記複数の広告表示用情報と、上記複数の広告表示用情報を広告表示用情報ごとに所定の時間設定または所定の順番設定に基づいて順次再生表示させるためのスケジュールファイルと、該スケジュールファイルで使用される複数の広告表示用情報のうち少なくとも一部の広告表示用情報が共用されている複数の広告表示用情報から１つの広告表示用情報を選択して再生表示させるためのメニューファイルにおいて、閲覧者の操作に応答して表示させるためのデマンド型のメニューファイルと、上記メニューファイルにおいて上記ロケーションサーバ装置から受信したイベントに応答して表示させるためのプッシュ型のメニューファイルと、を格納する表示用情報格納手段を備えており、
上記制御部において実行される、
上記スケジュールファイルまたは上記メニューファイルに基づいて上記広告表示用情報を再生表示する広告表示ステップと、
上記広告表示装置の将来的閲覧者の情報または該広告表示装置付近もしくは内部の状況を検知し該広告表示装置に送信する、上記ロケーションサーバ装置のイベント検知手段からイベント情報を受信した場合に、該イベントの種類を判定し、該イベントの種類に応じた上記プッシュ型メニューファイルを選択するイベント種類判定ステップと、
上記イベント検知手段から受信したイベント情報の有効性を判断し、有効である場合には、上記スケジュールファイルに基づいた上記広告表示用情報の再生表示から上記イベント種類判定ステップによって選択された上記プッシュ型メニューファイルに基づいた上記広告表示用情報の再生表示へ切り替え、また、予め設定されたメニュー終了条件を満たす場合には、上記スケジュールファイルに基づいた上記広告表示用情報の再生表示へ切り替える表示切替ステップと、
を含んだことを特徴とする広告表示装置の広告表示プログラム。
【発明の詳細な説明】
【技術分野】
【０００１】
本発明は、広告配信表示システム、広告配信表示方法、広告表示装置、および広告表示プログラムに関するものである。
【背景技術】
【０００２】
近年、電子広告等の情報を作成して配信し、表示装置で表示させるシステム等が増加している。このシステムの表示装置においては、情報の利用者がタッチパネル等から所望の情報を選択して情報を表示させるもの（オンデマンド型情報表示）がある。また、このシステムの表示装置において、情報提供者が所定のスケジュールに従って情報を表示させるもの（スケジュール再生）がある。
【０００３】
しかし、利用者が希望する情報を選択するようなシステムの場合であっても、利用者が希望の情報を選択しない場合は、情報提供者が本来希望する情報を表示させることが望まれる。一方、情報の提供者が所定のスケジュールに従って情報を提供するようなシステムの場合にも、利用者が所望の情報を表示させたい場合もある。
【０００４】
従来は、利用者が情報を望まず、情報を選択しない場合は、情報提供者が表示させたいと望む情報を表示するしかなく、一方、利用者が所望の情報を選択した場合は、情報提供者が表示させたいと望む意思は無視される傾向にある。
【０００５】
そのため、上記両者の中間のもの、つまり情報提供者が広告表示を望むものであって、かつ利用者が選択可能となるもの、または、利用者が広告表示を望むものであって、かつ情報提供者が広告表示を推薦するものが広告媒体の価値を高める目的で市場に要求されている。
【０００６】
ここで、特許文献１は、Ｗｅｂページを閲覧するブラウザに情報を提供する情報提供方法であってブラウザの表示領域からユーザが注目したＷｅｂコンテンツの情報を抽出し、抽出した情報から検索キーを生成するものである。
【０００７】
また、特許文献２に記載の発明は、閲覧者識別を行いデータベース用から取得したレコメンド（推奨）映像情報を、趣向の似ている閲覧者同士のマッチングを行うことにより検索して表示するものである。
【０００８】
【特許文献１】特開２００４−３４８２４１号公報
【特許文献２】特開２００３−０８５２０７号公報
【発明の開示】
【発明が解決しようとする課題】
【０００９】
しかしながら、上述した特許文献１に記載の情報提供方法においては、閲覧者のマウス操作等から情報を類推するものであって、閲覧者が自発的に意図した動作を起こさなければ、類推して情報を提供できないという問題が生じる。
【００１０】
特に、広告の情報提供においては、閲覧者が広告を見ようとする自発的な行動を伴わせずに、閲覧者にとって関心のある広告を表示することが求められる。そのため特許文献１の情報提供方法を広告の情報提供に使用した場合、閲覧者が自発的にマウス等を操作しない限り、適切な広告を類推できず、類推機能を持った広告媒体として機能できない場合が頻発する。
【００１１】
また、広告媒体の価値を向上のためには、全国的な配信（ブロードキャスト型）と、地域・人種・性別・年齢層などに個別的な配信（ターゲットキャスト型）の共存が望まれるが、特許文献１に記載の情報提供方法では、メインの運用である広告コンテンツのブロードキャストとの親和性が考慮されていないという問題がある。
【００１２】
また、特許文献１に記載の情報提供方法では、ターゲットキャスト型の一種である個人に個別的な配信を実現することができるが、ある程度まとまりのある集団に対しては、その集団を概念的に代表する者に操作させることは現実に不可能であるので、その集団が求めるものを抽象化することができず、結果として推薦する広告を配信表示することができないという問題が生ずる。
【００１３】
また、特許文献２に記載の検索方法では、同じ趣向を持った相当数の閲覧者のデータを、一定以上蓄積しなければ、機能しないという問題がある。
【００１４】
本発明が解決しようとする課題には上述した問題が一例として挙げられる。
【００１５】
本発明は、上記に鑑みてなされたものであって、閲覧者が広告を見ようとする自発的な行動を伴わせずに、将来的閲覧者となるものの情報、または装置内部もしくは装置周辺の状況などのイベント情報から、閲覧者に適当なプッシュ型メニューファイルを呼び出し、閲覧者に適切な広告を提供することを可能とする広告配信表示システム、広告配信表示方法、広告表示装置、および広告表示プログラムを提供することを目的とするものである。
【課題を解決するための手段】
【００１６】
このような目的を達成するため、請求項１に記載の広告配信表示システムは、複数の異なる広告表示用情報を再生表示させるための制御情報ファイルを作成し広告表示用情報と共に広告表示装置に送信する広告作成配信サーバ装置と、該制御情報ファイルに基づいて上記複数の広告表示用情報を再生表示する広告表示装置と、イベント情報を検知し該広告表示装置に送信するロケーションサーバ装置とを備えており、上記広告作成配信サーバ装置は、上記複数の広告表示用情報を広告表示用情報毎に所定の時間設定または所定の順番設定に基づいて順次再生表示させるためのスケジュールファイルと、上記複数の広告表示用情報から１つの広告表示用情報を選択して再生表示させるためのメニューファイルにおいて、閲覧者の操作に応答して表示させるためのデマンド型のメニューファイルと、上記メニューファイルにおいて上記ロケーションサーバ装置から受信したイベント情報に応答して表示させるためのプッシュ型のメニューファイルとを、少なくとも一部の広告表示用情報が共用されて表示されるように、制御情報ファイルとして作成して上記広告表示装置に送信する制御情報ファイル作成送信手段を備え、上記ロケーションサーバ装置は、該広告表示装置の将来的閲覧者の情報または該広告表示装置付近もしくは内部の状況を検知し、該広告表示装置に送信するイベント検知手段を備え、上記広告表示装置は、上記スケジュールファイル又は上記デマンド型メニューファイル若しくは上記プッシュ型メニューファイルを受信し、受信した上記スケジュールファイル又は上記デマンド型メニューファイル若しくは上記プッシュ型メニューファイルに基づいて上記複数の広告表示用情報を再生表示する広告再生手段と、上記イベント検知手段からイベント情報を受信した場合に、該イベントの種類を判定し、該イベントの種類に応じた上記プッシュ型メニューファイルを選択するイベント種類判定手段と、上記イベント検知手段から受信したイベント情報の有効性を判断し、有効である場合には、上記スケジュールファイルに基づいた上記広告表示用情報の再生表示から上記イベント種類判定手段により選択された上記プッシュ型メニューファイルに基づいた上記広告表示用情報の再生表示へ切り替え、また、予め設定されたメニュー終了条件を満たす場合には、上記スケジュールファイルに基づいた上記広告表示用情報の再生表示へ切り替える表示切替手段と、を備えたことを特徴とする。
【００１７】
また、請求項３に記載の広告配信表示方法は、複数の異なる広告表示用情報を再生表示させるための制御情報ファイルを作成し広告表示用情報と共に広告表示装置に送信する広告作成配信サーバ装置と、該制御情報ファイルに基づいて上記複数の広告表示用情報を再生表示する広告表示装置と、イベント情報を検知し該広告表示装置に送信するロケーションサーバ装置とを備える広告配信表示システムにおいて、上記広告作成配信サーバ装置において実行される、上記複数の広告表示用情報を広告表示用情報毎に所定の時間設定または所定の順番設定に基づいて順次再生表示させるためのスケジュールファイルと、上記複数の広告表示用情報から１つの広告表示用情報を選択して再生表示させるためのメニューファイルにおいて、閲覧者の操作に応答して表示させるためのデマンド型のメニューファイルと、上記メニューファイルにおいて上記ロケーションサーバ装置から受信したイベント情報に応答して表示させるためのプッシュ型のメニューファイルとを、少なくとも一部の広告表示用情報が共用されて表示されるように、制御情報ファイルとして作成して上記広告表示装置に送信する制御情報ファイル作成送信ステップと、上記ロケーションサーバ装置において実行される、該広告表示装置の将来的閲覧者の情報または該広告表示装置付近もしくは内部の状況を検知し、該広告表示装置に送信するイベント検知ステップと、上記広告表示装置において実行される、上記スケジュールファイル又は上記デマンド型若しくは上記プッシュ型メニューファイルを受信し、受信した上記スケジュールファイル又は上記デマンド型若しくは上記プッシュ型メニューファイルに基づいて上記複数の広告表示用情報を再生表示する広告再生ステップと、上記イベント検知ステップによってイベント情報を受信した場合に、該イベントの種類を判定し、該イベントの種類に応じた上記プッシュ型メニューファイルを選択するイベント種類判定ステップと、上記イベント検知ステップによって送信されたイベント情報の有効性を判断し、有効である場合には、上記スケジュールファイルに基づいた上記広告表示用情報の再生表示から上記イベント種類判定ステップによって選択された上記プッシュ型メニューファイルに基づいた上記広告表示用情報の再生表示へ切り替え、また、予め設定されたメニュー終了条件を満たす場合には、上記スケジュールファイルに基づいた上記広告表示用情報の再生表示へ切り替える表示切替ステップと、を含むことを特徴とする。
【００１８】
また、請求項４に記載の広告表示装置は、複数の異なる広告表示用情報を１つずつ再生表示する広告表示装置であって、上記広告表示装置は、複数の異なる広告表示用情報を再生表示させるための制御情報ファイルを作成し広告表示用情報と共に広告表示装置に送信する広告作成配信サーバ装置と、イベント情報を検知し該広告表示装置に送信するロケーションサーバ装置とに接続されており、上記複数の広告表示用情報と、上記複数の広告表示用情報を広告表示用情報ごとに所定の時間設定または所定の順番設定に基づいて順次再生表示させるためのスケジュールファイルと、該スケジュールファイルで使用される複数の広告表示用情報のうち少なくとも一部の広告表示用情報が共用されている複数の広告表示用情報から１つの広告表示用情報を選択して再生表示させるためのメニューファイルにおいて、閲覧者の操作に応答して表示させるためのデマンド型のメニューファイルと、上記メニューファイルにおいて上記ロケーションサーバ装置から受信したイベント情報に応答して表示させるためのプッシュ型のメニューファイルと、を格納する表示用情報格納手段と、上記スケジュールファイル又は上記デマンド型若しくはプッシュ型メニューファイルに基づいて上記広告表示用情報を再生表示する広告再生手段と、上記広告表示装置の将来的閲覧者の情報または該広告表示装置付近もしくは内部の状況を検知し該広告表示装置に送信する、ロケーションサーバ装置のイベント検知手段からイベント情報を受信した場合に、該イベントの種類に応じた上記プッシュ型メニューファイルを選択するイベント種類判定手段と、上記イベント検知手段から受信したイベント情報の有効性を判断し、有効である場合には、上記スケジュールファイルに基づいた上記広告表示用情報の再生表示から上記イベント種類判定手段によって選択された上記プッシュ型メニューファイルに基づいた上記広告表示用情報の再生表示へ切り替え、また、予め設定されたメニュー終了条件を満たす場合には、上記スケジュールファイルに基づいた上記広告表示用情報の再生表示へ切り替える表示切替手段と、を備えたことを特徴とする。
【００１９】
また、請求項５に記載の広告表示プログラムは、複数の異なる広告表示用情報を１つずつ再生表示する、少なくとも記憶部と制御部を備えた広告表示装置において実行され、上記広告表示装置は、複数の異なる広告表示用情報を再生表示させるための制御情報ファイルを作成し広告表示用情報と共に広告表示装置に送信する広告作成配信サーバ装置と、イベント情報を検知し該広告表示装置に送信するロケーションサーバ装置とに接続されており、上記広告表示装置は、上記複数の広告表示用情報と、上記複数の広告表示用情報を広告表示用情報ごとに所定の時間設定または所定の順番設定に基づいて順次再生表示させるためのスケジュールファイルと、該スケジュールファイルで使用される複数の広告表示用情報のうち少なくとも一部の広告表示用情報が共用されている複数の広告表示用情報から１つの広告表示用情報を選択して再生表示させるためのメニューファイルにおいて、閲覧者の操作に応答して表示させるためのデマンド型のメニューファイルと、上記メニューファイルにおいて上記ロケーションサーバ装置から受信したイベントに応答して表示させるためのプッシュ型のメニューファイルと、を格納する表示用情報格納手段を備えており、上記制御部において実行される、上記スケジュールファイルまたは上記メニューファイルに基づいて上記広告表示用情報を再生表示する広告表示ステップと、上記広告表示装置の将来的閲覧者の情報または該広告表示装置付近もしくは内部の状況を検知し該広告表示装置に送信する、上記ロケーションサーバ装置のイベント検知手段からイベント情報を受信した場合に、該イベントの種類を判定し、該イベントの種類に応じた上記プッシュ型メニューファイルを選択するイベント種類判定ステップと、上記イベント検知手段から受信したイベント情報の有効性を判断し、有効である場合には、上記スケジュールファイルに基づいた上記広告表示用情報の再生表示から上記イベント種類判定ステップによって選択された上記プッシュ型メニューファイルに基づいた上記広告表示用情報の再生表示へ切り替え、また、予め設定されたメニュー終了条件を満たす場合には、上記スケジュールファイルに基づいた上記広告表示用情報の再生表示へ切り替える表示切替ステップと、を含んだことを特徴とする。
【発明を実施するための最良の形態】
【００２０】
以下に、本発明にかかる広告配信表示システム、広告配信表示方法、広告表示装置、および広告表示プログラムの実施の形態を図面に基づいて詳細に説明する。なお、この実施例によりこの発明が限定されるものではない。
【００２１】
［本発明の概要］
以下、本広告配信表示システムの概要について、図１を参照して説明し、その後、本広告配信表示システムの構成および処理等について詳細に説明する。図１は、本広告配信表示システムの概要を示す概念図である。
【００２２】
図１に示すように、本広告配信表示システムは、概略的に、以下の基本的特徴を有する。すなわち、本広告配信表示システムは、複数の異なる広告表示用情報を再生表示させるための制御情報ファイルを作成し広告表示用情報と共に広告表示装置に送信する広告配信サーバ装置２００と、制御情報ファイルに基づいて上記複数の広告表示用情報を再生表示する広告表示装置１００（１００ａ〜１００ｃ）と、イベント情報を検知し広告表示装置１００に送信するロケーションサーバ装置４００とを備えた広告配信表示システムである。
【００２３】
まず、本広告配信表示システムの広告配信サーバ装置２００は、複数の広告表示用情報を広告表示用情報毎に所定の時間設定または所定の順番設定に基づいて順次再生表示させるためのスケジュールファイルと、複数の広告表示用情報から１つの広告表示用情報を選択して再生表示させるためのメニューファイルにおいて、閲覧者の操作に応答して表示させるためのデマンド型のメニューファイルと、ロケーションサーバ装置４００から受信したイベント情報に応答して表示させるためのプッシュ型のメニューファイルとを、少なくとも一部の広告表示用情報が共用されて表示されるように、制御情報ファイルとして作成して広告表示装置１００に送信する。
【００２４】
つぎに、本広告配信表示システムのロケーションサーバ装置４００は、広告表示装置の将来的閲覧者の情報または広告表示装置付近もしくは内部の状況を検知し、広告表示装置１００に送信する。ここでイベント検知手段の詳細については、後述する。
【００２５】
そして、本広告配信表示システムの広告表示装置１００は、スケジュールファイル又はデマンド型メニューファイル若しくはプッシュ型メニューファイルを受信し、受信したスケジュールファイル又はデマンド型メニューファイル若しくはプッシュ型メニューファイルに基づいて複数の広告表示用情報を再生表示する。
【００２６】
さらに、広告表示装置１００は、イベント検知手段からイベント情報を受信した場合（広告表示装置１００ｂの場合）に、イベントの種類を判定し、イベントの種類に応じたプッシュ型メニューファイルを選択する。
【００２７】
また、広告表示装置１００は、受信したイベント情報の有効性を判断し、有効である場合には、スケジュールファイルに基づいた広告表示用情報の再生表示から、選択されたプッシュ型メニューファイルに基づいた広告表示用情報の再生表示へ切り替え、また、予め設定されたメニュー終了条件を満たす場合には、スケジュールファイルに基づいた広告表示用情報の再生表示へ切り替える。
【００２８】
ここで、スケジュール再生モード、デマンド型メニュー表示モード、およびプッシュ型メニュー表示モードのイベントに応じた切り替えについて、図２を参照しながら説明する。図２は、スケジュール再生モード、デマンド型メニュー表示モード、およびプッシュ型メニュー表示モードの切り替えを示す概念図である。
【００２９】
図２に示すように、従来は、スケジュール再生モード（自動プレゼンモード）の状態で、閲覧者からのマウス等の操作があった場合、デマンド型メニューファイルに基づいた再生表示へ切り替えるものであった。さらに、本発明では、サーバ装置からの切替指示や、ロケーション内イベントの発生を検知した場合に、プッシュ型のメニューファイルに基づいた再生表示へ切り替えることができることを特徴とする。図１に示した例によると、通常状態は、スケジュール再生モード（広告表示装置１００ｃの状態）であり、閲覧者からのマウス操作等があった場合は、デマンド型メニュー表示モードに移行する（広告表示装置１００ａの状態）。あるいは、イベント発生があった場合は、プッシュ型メニュー表示モードに移行することになる（広告表示装置１００ｂの状態）。
【００３０】
図２に示すように、モードの切り替わりのトリガーとなるのは、以下に例示する状況である。（１）サーバ側からモードの切り替わり指示があった場合、サーバ内で生成された再生パック指示ファイル（広告制御メタファイル）を端末（以下「広告表示装置」と併称する）が受信することで、切替指示が伝達される。（２）端末側で予め指定された条件のモードの切り替わりイベントが発生した場合、例えば、広告閲覧者もしくは端末管理者等によるリモートコントローラやタッチパネル操作等があった場合である。（１）のように、閲覧者の指示により表示されるメニューを「デマンド型メニュー」と呼ぶ。一方、（２）のように、閲覧者の意思にかかわらず、ロケ館内発生イベントに即して表示されるメニューを「プッシュ型メニュー」と呼ぶ。他のトリガーとなるイベントとしては、端末がロケーション館内ＬＡＮ経由で切替支持の電文を受信する設定の場合、例えば、ロケーションへの広告閲覧見込み者（将来的閲覧者）の入場と顧客セグメント情報、ロケーション内での同見込み者のアクション（購買活動など）、ロケーション内での環境変化（気温、湿度、滞留人数、時刻の変化）などの内容の電文が考えられる。
【００３１】
このように、本広告配信表示システムを構成することによって、操作・イベント等に応じてスケジュール再生モードから、デマンド型メニュー表示モード、あるいはプッシュ型メニュー表示モードに切り替えることができ、状況に応じて適切な訴求効果のある広告を配信表示することができる。特に、スケジュール再生モードとデマンド型メニュー表示モードの中間的存在のプッシュ型メニュー表示モードを設定したことで、情報提供者が広告表示を望むものであって、かつ利用者が選択可能となるもの、または、利用者が広告表示を望むものであって、かつ情報提供者が広告表示を推薦するものを提供することができるので、広告媒体の価値を高めることができる。
【００３２】
ここで、本広告配信表示システムの広告表示装置１００は、さらに、選択されたプッシュ型メニューファイルに基づく広告表示用情報の再生表示を行っている場合において、更に新たなイベント情報を受信したときは、予め設定されたイベントの優先順位情報に基づいて、現在の再生表示に係るイベントと該新たなイベントの優先度を判定し、新たなイベントの優先順位が該現在の再生表示に係るイベントよりも高順位の場合には、選択された該新たなイベントに係るプッシュ型メニューファイルに基づいた広告表示用情報の再生表示へ切り替えることを指示するようにしてもよい。
【００３３】
これにより、さらに複数のイベントが同時発生した場合にも優先順位に基づいて適切な広告を再生表示することができ訴求効果を高めることができる。特に、広告表示端末において、スケジュール再生とデマンド型メニュー表示とプッシュ型メニュー表示の全てが使用上／運用上ともに共存可能になったので、ロケーションに来場した広告閲覧者へのレコメンド（推奨）情報訴求と、ブロードキャスト型広告配信表示の双方が実現できるという効果を奏する。
【００３４】
また、上記のように本広告配信表示システムを構成したので、来場者のセグメント（年齢、性別等）想定機能に加えて、館内基幹システム（ゲートに設置した会員カードリーダや人顔識別プログラム装置等）の連動を通じてターゲット層の来場等を検知できるので、該セグメントに対してタイムリーな（好機的な）情報訴求が可能となる。
【００３５】
さらに、ブロードキャストを前提に設計された広告配信表示スキームにおいては、ロケーション固有の割り込み情報用の番組枠等を仕様上で容認する必要があるが、本広告配信表示装置では、その点を考慮して設計された仕様を持つため、ブロードキャスト型広告に加えて、ロケーションで発生したイベントに呼応した訴求広告を配信表示することで、ブロードキャスト型とターゲットキャスト型双方の効果的な訴求表示を行うことができる。
【００３６】
［システム構成］
まず、本システムの構成について説明する。図３は、本広告配信表示システムが適用される本システム構成の一例を示すブロック図であり、該構成のうち本広告配信表示システムに関係する部分のみを概念的に示している。本システムは、概略的に広告表示装置１００と、広告表示装置１００に対して広告表示用情報ファイルや広告制御情報ファイルを提供する広告配信サーバ装置２００とを、ネットワーク３００を介して通信可能に接続して構成されている。また広告表示装置１００は、ＬＡＮ等を通じて、ロケーションサーバ装置４００に接続されている。
【００３７】
図３において、ネットワーク３００は、広告表示装置１００と広告配信サーバ装置２００とを相互に接続する機能を有し、例えば、インターネット等である。
【００３８】
図３において、広告表示装置１００は、概略的に、広告表示装置１００の全体を統括的に制御するＣＰＵ等の制御部１０２、および、各種のデータベースやテーブルなどを格納する記憶部１０６を備えて構成されており、これら各部は任意の通信路を介して通信可能に接続されている。更に、この広告表示装置１００は、ルータ等の通信装置および専用線等の有線または無線の通信回線を介して、ネットワーク３００およびロケーションサーバ装置４００に通信可能に接続されている。
【００３９】
記憶部１０６に格納される各種のデータベースやテーブル（再生用テンプレート・素材データ格納部１０６ａなど）は、固定ディスク装置等のストレージ手段であり、各種処理に用いる各種のプログラムやテーブルやファイルやデータベースやウェブページ等を格納する。
【００４０】
これら記憶部１０６の各構成要素のうち、再生用テンプレート・素材データ格納部１０６ａは、広告配信サーバ装置２００からダウンロードした広告表示用情報や制御情報ファイルなどのテンプレートおよび素材データ、並びにログ情報などを格納する広告情報格納手段である。ここで、広告制御情報について図４を参照して、説明する。図４は、再生用テンプレート・素材データ格納部１０６ａおよび広告／情報データ格納部２０６ａに格納される広告制御情報の一例を示す図である。
【００４１】
図４に示すように、広告制御情報等を含むコンテンツファイルであるプレゼンテーションパック２は、ｉｎｄｅｘファイルとして用いるパック情報ファイル２１（ｘｍｌファイル形式）と、メニューファイル２２と（ｘｍｌファイル形式）、自動プレゼンテーションスクリプト（以下、「スケジュールファイル」とよぶ）２３（ｘｍｌファイル形式）と、複数のプレゼンテーションファイル２４−１〜２４−ｎとから構成される。
【００４２】
図４に示すように、パック情報ファイル２１、メニューファイル２２、自動プレゼンスクリプト（スケジュールファイル）２３、およびプレゼンテーションファイル２４−１〜２４−ｎは、通常、複数の素材データ（コンテンツ）から成る番組を表示するために必要な情報が定義される制御情報ファイルである。
【００４３】
ここで「スケジュールファイル（自動プレゼンスクリプト）」とは、プレゼンテーションパック各コンテンツの自動プレゼンテーションを定める役割を果たし、番組表に相当するものである。各コンテンツで使用するテンプレートは、ここで定義され、開始時刻、終了時刻、時刻指定、曜日指定、日時指定を行う。当該ｘｍｌファイルは、開始・終了時刻や毎日放映などの時刻設定を行うタグや、再生するコンテンツのファイルパスなどを設定するタグなどで構成される。
【００４４】
また、「メニューファイル」とは、プレゼンテーションパックの各コンテンツのメニューを定めるものであり、一覧表に相当する。また、メニューで使用するテンプレート（一覧表の雛形など）やメニューで紹介されるコンテンツを含んでいる。
【００４５】
ここで、メニューファイル２２は、閲覧者の操作に応答して表示させるためのデマンド型メニューファイル２２ａと、ロケーションサーバ装置４００から受信したイベント情報に応答して表示させるためのプッシュ型メニューファイル２２ｂを含んで構成されている。特にデマンド型メニューファイル２２ａによって再生表示される広告情報は、閲覧者が閲覧したいコンテンツを表示する顕在ニーズ対応型であるのに対し、プッシュ型メニューファイル２２ｂによって再生表示される広告情報は、閲覧者が好むであろうコンテンツのレコメンド表示を行う潜在ニーズ対応型であるという特徴を有している。このことにより、閲覧者に対して多彩な訴求表示が可能となる。
【００４６】
ここで、デマンド型表示とプッシュ型表示の違いを、図５を参照して説明する。図５は、スケジュール再生モードとデマンド型メニュー表示モードとプッシュ型メニュー表示モードの違いを示す概念図である。
【００４７】
図５に示すように、コンテンツＡとＢとＣを含む広告コンテンツのスケジュール再生中に、閲覧者がマウスをワン・クリックまたはワン・タッチ等した場合、デマンド型メニュー表示モードに移行する。デマンド型メニュー表示画面では、来場者自身の意思・要望のコンテンツが表示される。一方、スケジュール再生中に、顧客来場情報などイベントの発生等があった場合は、プッシュ型メニュー表示モードに切り替えられる。このとき表示されるプッシュ型メニュー表示画面では、来場者に適切とシステムが判断したコンテンツが表示される。
【００４８】
図３に戻って、出力部１１４は、モニタ（家庭用テレビを含む）の他、スピーカーを用いることができる（なお、以下においては出力部１１４をモニタとして記載する場合がある）。また、入力部１１２としては、キーボード、マウス、マイクおよびリモートコントローラ等を用いることができ、図３に示すように、モニタも、マウスと協働してポインティングデバイス機能（タッチパネル機能）を実現することができる。
【００４９】
また、図３において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、再生プレーヤー１０２ａ、再生スケジュール管理部１０２ｂ、通信制御部１０２ｃ、ロケーション発生処理部１０２ｄを備えて構成されている。
【００５０】
また、再生プレーヤー１０２ａは、再生用テンプレート・素材データ格納部１０６ａに格納されている広告番組コンテンツなど、指定されたテンプレート、素材の組み合わせで１つのプレゼンテーションを再生する再生手段である。再生プレーヤー１０２ａは、再生指示に含まれるプレゼンテーションファイルに基づいて番組を表示する機能を発揮する。再生プレーヤー１０２ａは、プレゼンテーションファイルに定義されている再生用テンプレートファイルの表示エリアに対応付けられた素材データを、それぞれの表示エリアの再生プレーヤーを用いて再生して番組を表示する。
【００５１】
また、再生スケジュール管理部１０２ｂは、再生プレーヤー１０２ａが広告放映開始時間に再生を行うよう時間管理するスケジュール管理手段である。再生スケジュール管理部１０２ｂは、広告配信サーバ装置２００を介して監視装置２４０から送信された制御指示に基づいて既に記憶されている複数のプレゼンテーションパック内でプレゼンテーションパックを切替るなどの機能を備えており、また、スケジュール再生モードとメニュー表示モードを切り替える表示切替手段としても機能する。具体的には、端末制御メタファイル内でのプレゼンテーションパックの切替表示、プレゼンテーションパック内でのスケジュールファイルの指示に従い、再生プレーヤーにコンテンツ再生の指示・監督を行う。
【００５２】
通信制御部１０２ｃは、広告配信サーバ装置２００またはロケーションサーバ装置４００との送受信を制御する通信手段である。定期的に広告配信サーバ装置２００にアクセスし、データ配信メタファイル、端末制御メタファイルをダウンロードする機能を有する。ここで、「データ配信メタファイル」は、当ファイルの指示に従い、プレゼンテーションパックのダウンロードを行う機能を発揮する。また、「端末制御メタファイル」は、当ファイルの指示に従い、端末の制御・ログの送信を行う機能を有する。
【００５３】
また、ロケーション発生処理部１０２ｄは、ロケーションサーバ装置４００から受信したイベント情報を処理するイベント情報処理手段である。イベント情報処理手段は、イベント種類判定手段と、イベント順位手段とから構成される。各イベント情報処理の詳細については後述する。
【００５４】
ここで、広告表示装置１００のハードウェア構成の詳細について、図６を参照して説明する。図６は、広告表示装置１００の構成の詳細を示すブロック図である。
【００５５】
図６に示すように、広告表示装置１００は、ＣＰＵ１０３と、ネットワークＩ／Ｆ１０４と、記憶部（内部記憶装置）１０６と、ＲＡＭ１０７と、周辺機器とのＩ／Ｆ１０８と、出力部１１４とを、バスを介して相互に接続されている。
【００５６】
記憶部（内部記憶装置）１０６は、ＣＰＵに対して、再生プレーヤー１０２ａ〜ロケーション発生処理部１０２ｄとしての機能を発揮させるためのプログラム１と、プレゼンテーションパック２と、メニューファイル２２と、スケジュールファイル２３とを含んで構成される。また、図３における再生用テンプレート・素材データ格納部１０６ａは、プレゼンテーションパック２とメニューファイル２２とスケジュールファイル２３とを含んで構成されている。
【００５７】
広告表示装置１００は起動すると、プログラム１は、ＲＡＭ１０７に一時記憶され、ＣＰＵ１０３の処理により、図３に示した論理ブロック図のうち広告表示装置１００の制御部（１０２ａ、１０２ｂ、１０２ｃ、および１０２ｄ）の各機能を実現する。
【００５８】
このうち、周辺機器とのＩ／Ｆ１０８は、キーボードやカードリーダ、リモートコントローラ受光部などの入力部１１２から通信制御を行うインタフェースであり、該入力部１１２から入力があった場合は、閲覧者からの操作等であると判断される、デマンド型メニューへの切替指示となる。
【００５９】
一方、ネットワークＩ／Ｆ１０４は、広告配信サーバ装置２００またはロケーションサーバ装置４００との通信制御を行うインタフェースである。ロケーションサーバ装置４００からイベント情報を受信した場合、プッシュ型メニューへの切替命令となる。ただし、広告表示装置１００に、例えば顧客識別装置等のイベント検知手段が直接接続されている場合は、そのイベント検知手段によるイベント情報をトリガーとしたプッシュ型メニュー表示も構成可能であるので、図６に示す構成に限られない。
【００６０】
再び図３に戻って、広告配信サーバ装置２００は、ネットワーク３００を介して、広告表示装置１００と相互に接続され、概略的に、広告表示用情報ファイルや広告制御情報ファイル等を含むプレゼンテーションパック２を格納する広告／情報データ格納部２０６ａ、広告表示装置１００の管理を行う端末管理部２０２ａと、広告表示装置１００からログ情報を収集するログ集計部２０２ｂと、制御情報ファイルを作成するための制御情報ファイル作成手段であるプレゼンテーションパック作成部２０２ｃを有する。広告配信サーバ装置２００の各機能は、広告配信サーバ装置２００のハードウェア構成中のＣＰＵ、ディスク装置、メモリ装置、入力装置、出力装置、通信制御装置等およびそれらを制御するプログラム等により実現される。また広告配信サーバ装置２００は、制御情報ファイル作成装置２２０と一体として制御情報ファイル作成送信手段として機能する。
【００６１】
より詳しくは、記憶部には、広告情報や制御情報ファイルを格納する広告／情報データ格納部２０６ａを備え、制御部は、広告表示装置１００の管理を行う端末管理部２０２ａと、広告表示装置１００からログ情報を収集するログ集計部２０２ｂと、制御情報ファイルを作成するための制御情報ファイル作成手段であるプレゼンテーションパック作成部２０２ｃ、とを備えて構成されている。
【００６２】
このうち、広告／情報データ格納部２０６ａは、プレゼンテーションパック管理機能を構成し、制御情報ファイル作成装置２２０から受信したパッケージを格納する。更新されたファイルのみのパッケージの場合には、プレゼンテーションパック管理機能は、格納しているパッケージおよび制御情報ファイル作成装置２２０から受信したパッケージを復号化し、そして、格納しているプレゼンテーションパック内の更新部分（制御情報ファイル作成装置２２０から受信したパッケージのファイル）だけを変更した後に、パック化、暗号化して格納する。また、新たなプレゼンテーションパック２を構成する１つのパッケージである場合は、新たなプレゼンテーションパック２を構成する全てのパッケージが受信された後、これら全てのパッケージをプレゼンテーションパック化して、格納する。
【００６３】
端末管理部２０２ａは、広告表示装置１００からポーリングによるアクセスがあった場合、監視装置２４０からの監視指示に基づいて広告表示装置１００のＣＰＵの負荷情報や広告表示装置１００の表示部の温度などの広告表示装置１００内の各種状態を示す情報（以下、監視情報という）の送信要求を広告表示装置１００に送信する。また、ログ集計部２０２ｂは、広告表示装置１００からポーリングによるアクセスがあった場合、監視装置２４０からの制御指示に基づいて、プレゼンテーションパックまたはパッケージのダウンロード要求を広告表示装置１００に送信すること、広告表示装置１００で既に記憶されている複数のプレゼンテーションパック内でのプレゼンテーションパックの切替え指示を広告表示装置１００に送信すること、ポーリング間隔の変更設定指示を広告表示装置１００へ送信することなどを行う。
【００６４】
ログ集計部２０２ｂは、広告表示装置１００から送信される監視情報を集計、記憶する機能である。ログ集計機能によって記憶された各種データは、監視装置２４０から閲覧可能となっている。
【００６５】
プレゼンテーションパック作成部２０２ｃは、プロデューサーが番組を作成するためのパーソナルコンピュータ等のメニューファイル２２上で実現され、コンテンツ素材データ作成装置によって作成された各種素材データ、およびテンプレート作成装置によって作成された再生用テンプレートファイルを用いて、図４に示したプレゼンテーションパック２に含まれるすべてのファイルを作成する。そして、作成したプレゼンテーションパック２を、ネットワークを介して広告配信サーバ装置２００に送信する。プレゼンテーションパック作成部２０２ｃは、プレゼンテーション作成機能と、スケジュール・メニュー作成機能と、パック作成機能と、データアップロード機能とを備えている。
【００６６】
ロケーションサーバ装置４００は、広告表示装置の将来的閲覧者の情報または広告表示装置付近もしくは内部の状況を検知し、広告表示装置に送信するイベント検知手段を備えたサーバ装置である。
【００６７】
［システムの処理］
次に、このように構成された本実施の形態における本広告配信表示システムの処理の一例について、以下に図３を参照して詳細に説明する。
【００６８】
［制御情報ファイル作成送信処理］
まず、制御情報ファイル作成送信処理の詳細について説明する。
【００６９】
まず、制御情報ファイル作成装置２２０は、プレゼンテーションパック作成部２０２ｃの処理により、複数の広告表示用情報を広告表示用情報毎に所定の時間設定または所定の順番設定に基づいて順次再生表示させるためのスケジュールファイル２３と、複数の広告表示用情報から１つの広告表示用情報を選択して再生表示させるためのメニューファイル２２において、閲覧者の操作に応答して表示させるためのデマンド型メニューファイル２２ａと、ロケーションサーバ装置４００から受信したイベント情報に応答して表示させるためのプッシュ型メニューファイル２２ｂとを、少なくとも一部の広告表示用情報が共用されて表示されるように、プレゼンテーションパック２として作成し、広告配信サーバ装置２００に送信し広告／情報データ格納部２０６ａに格納する。
【００７０】
ここで、本実施例における「メニュー」とは、各番組を自動表示させるための自動再生用ボタンを画面上に配置したものであり、番組選択用の一覧表を示す機能を果たしている。また、自動再生用ボタンはメニュー画面内において番組毎に１つ以上配置されるものとする。ここでのメニューファイルは、自動再生用ボタン（自動再生用ボタン名）と番組ファイル名の対応付け情報が定義される。メニューを用いて番組を表示する際は、マウス等で自動再生用ボタンを指定することによって希望する番組を表示させることが可能となる。
【００７１】
メニュー再生で使用する複数の番組ファイルとスケジュール再生で使用する複数の番組ファイルは、少なくともその一部が共用されるものであり、互いに番組ファイルを共有するかたちで、番組表示を可能としている。換言すると、共用される番組ファイルが１つあればスケジュール再生とメニュー再生の両方を行うことが可能となる。
【００７２】
例えば、３つの番組ファイルＡ，Ｂ，Ｃからは、番組ファイルＡ，Ｂ，Ｃを再生するためのメニューファイルと番組Ａ，Ｂ，Ｃを再生するためのスケジュールファイルが作成され、各番組ファイルＡ，Ｂ，Ｃは、メニューとスケジュールの両方から再生することができる。メニューファイル、スケジュールファイルには、番組Ａ，Ｂ，Ｃを再生するためのファイルであることを示す情報（識別子）をファイル管理のために付加してもよい。そして、広告表示装置１００等が、複数の番組ファイルと、この番組に対するスケジュールファイルと、この番組に対するデマンド型若しくはプッシュ型のメニューファイルとによって、複数の番組をスケジュール再生ならびにデマンド型およびプッシュ型メニュー再生させることが可能となる。
【００７３】
処理に戻って、広告配信サーバ装置２００は、広告表示装置１００からのダウンロード要求を受けると、端末管理部２０２ａの処理により、広告／情報データ格納部２０６ａに格納されたプレゼンテーションパック２を広告表示装置１００に送信する。
【００７４】
これにて、制御情報ファイル作成送信処理が終了する。
【００７５】
［イベント検知処理］
次に、イベント検知処理の詳細について説明する。
【００７６】
イベント発生が検出されると、ロケーションサーバ装置４００は、内部制御部の処理により、イベント情報を広告表示装置１００に送信する。ここで、図７は、本実施の形態における本システムのイベント検知処理の一例を示す図である。
【００７７】
図７に示すように、所定の気温・湿度が温度計・湿度計などのイベント測定手段によって、検出されると、館内ＬＡＮなどを介してロケーションサーバ装置４００は、このイベント情報を広告表示装置１００に送信する。他の外界情報の例としては、所定の時刻をタイムサーバーによって検出してもよい。
【００７８】
また、将来的閲覧者となるべき来場者の情報として、推定年齢や国籍を来場者の会員カードリーダなどによって検出するようにしてもよい。他の来場者情報としては、性別を人顔識別装置によって検出するようにしてもよい。
【００７９】
さらに、ロケーション施設情報として、ロケ内店舗売上情報をレジシステム等により検出してもよく、または、来場者数をカウンター等によって検出するようにしてもよい。
【００８０】
上記例示したイベント測定手段によって検出されたイベントは、ロケーションサーバ装置４００でイベント情報として加工され、広告表示装置１００に送信されることとなる。
【００８１】
［広告再生処理］
次に、広告再生処理の詳細について説明する。
【００８２】
まず、広告表示装置１００は起動すると、再生スケジュール管理部１０２ｂの処理により、再生プレーヤー１０２ａを起動させる。
【００８３】
つぎに、広告表示装置１００は、再生プレーヤー１０２ａの処理により、再生用テンプレート・素材データ格納部１０６ａに格納されているプレゼンテーションパック２を呼び出す。
【００８４】
通常、起動後の初期設定では、スケジュール再生モードに設定されており、再生プレーヤー１０２ａは、スケジュールファイル２３を呼び出し、再生し、出力部１１４に表示する。
【００８５】
これにて、広告再生処理が終了する。
【００８６】
［イベント種類判定処理］
次に、イベント種類判定処理の詳細について説明する。
【００８７】
まず、広告表示装置１００は、ロケーション発生処理部１０２ｄの処理により、ロケーションサーバ装置４００から受信したイベント情報を、解釈する。これによりイベントの種類を判定する。
【００８８】
つぎに、広告表示装置１００は、ロケーション発生処理部１０２ｄの処理により、プッシュ型メニューファイル２２ｂの中から、イベントの種類に応じて予め設定された、プッシュ型メニューファイル２２ｂを選択する。または、イベントの種類から、キーワード検索等を行って、最適なプッシュ型メニューファイル２２ｂ中のプッシュ型メニューを選び出すようにしてもよい。
【００８９】
これにて、イベント種類判定処理が終了する。
【００９０】
［表示切替処理］
次に、表示切替処理の詳細について図８を参照して説明する。図８は、本実施の形態における本システムの表示切替処理の一例を示すフローチャートである。
【００９１】
まず、前述のように広告再生処理により、広告表示装置１００は起動すると、再生プレーヤー１０２ａの処理により、スケジュール再生モードを実行する（ステップＳＡ−１）。
【００９２】
つぎに、前述のイベント検知処理で説明したとおり、ロケーションサーバ装置４００は、イベント測定手段によって検出された情報により、所定の閾値等によりイベントの発生が検知されると広告表示装置１００に通知する。
【００９３】
そして広告表示装置１００は、通信制御部１０２ｃの処理により、イベント情報を受信し、ロケーション発生処理部１０２ｄの処理により、イベント情報を解釈し、イベントが発生したと判断する（ステップＳＡ−２、Ｙｅｓ）。
【００９４】
つぎに、広告表示装置１００は、再生スケジュール管理部１０２ｂの処理によるメニューモードの切替準備に入る（ステップＳＡ−３）。具体的には、以下の処理（ステップＳＡ−４〜ステップＳＡ−９）を行う。
【００９５】
つまり、広告表示装置１００は、ロケーション発生処理部１０２ｄの処理により、前述したイベント種類判定処理を行う（ステップＳＡ−４）。
【００９６】
イベント種類判定処理を行った後（ステップＳＡ−５）、広告表示装置１００は、ロケーション発生処理部１０２ｄの処理によりイベントの有効性を判定し、有効であった場合は（ステップＳＡ−６、Ｙｅｓ）、再生スケジュール管理部１０２ｂの処理により、イベント種類判定処理により選択されたプッシュ型メニューファイル２２ｂの再生に切り替えることを、再生プレーヤー１０２ａに指示する。これにより、広告表示装置１００は、再生プレーヤー１０２ａの処理によりメニュー画面に切り替え、表示する（ステップＳＡ−７）。もし、イベントが有効でなければ（ステップＳＡ−６、Ｎｏ）、ステップＳＡ−１に戻って、再生プレーヤー１０２ａは、そのままスケジュール再生を行う（ステップＳＡ−１）。有効性の判断は、例えば、検出手段をロケーションサーバ装置４００からの電文情報としている場合は、メール文書内に文書不正があればこれを「無効」と判断するなどと設定しておく。
【００９７】
再生プレーヤー１０２ａの処理によりメニュー表示モードに切り替えられると（ステップＳＡ−７）、再生スケジュール管理部１０２ｂは、メニュー画面実行（入力）待ちの状態に入る（ステップＳＡ−８）。
【００９８】
そして、（１）一定時間メニュー画面の操作がない場合、（２）サーバからのスケジュールモードへの切替指示を受信した場合、（３）メニュー再生時間が満了した場合など、所定の終了条件を満たす場合は（ステップＳＡ−９、Ｙｅｓ）、広告表示装置１００は、再生スケジュール管理部１０２ｂの処理により、再生プレーヤー１０２ａに対しスケジュールファイル２３を呼び出し再生するよう切替指示を行う（ステップＳＡ−１０）。これにより、再び、スケジュール再生モードへと戻る（ステップＳＡ−１）。
【００９９】
一方、所定の終了条件を満たしていない場合は（ステップＳＡ−９、Ｎｏ）、ＳＡ−８に戻って、メニュー画面の入力実行待ち状態を続ける。
【０１００】
なお、図示しないが、スケジュール再生中に、イベント情報を受信することなく、閲覧者からの入力部１１２への操作が実行された場合は、広告表示装置１００は、再生スケジュール管理部１０２ｂの処理により、デマンド型メニューファイル２２ａを呼び出して、再生表示するよう、再生プレーヤー１０２ａに指示を行う。そして所定の終了条件を満たした場合は、再び再生スケジュール管理部１０２ｂの処理により、スケジュール再生モードへと切り替えられる。
【０１０１】
これにて、表示切替処理が終了する。
【０１０２】
［イベント順位判定処理］
次に、イベント順位判定処理の詳細について、図９を参照して説明する。図９は、本実施の形態における本システムのイベント順位判定処理の一例を示すフローチャートである。
【０１０３】
図９に示すように、ステップＳＢ−１からステップＳＢ−８までの処理の流れは、図８で示したステップＳＡ−１からステップＳＡ−８と同一であるので、説明を省略する。
【０１０４】
図９に示すように、メニュー画面表示モードの状態において（ステップＳＢ−８）、広告表示装置１００は、ロケーション発生処理部１０２ｄの処理により、さらに新たなイベントが発生したか否かを判定する（ステップＳＢ−９）。
【０１０５】
そして、広告表示装置１００が新たなイベント情報を受信したと、ロケーション発生処理部１０２ｄが判断すると（ステップＳＢ−９、Ｙｅｓ）、該新たな他イベントの有効性と優先度を判定する処理を行う（ステップＳＢ−１０）。ロケーション発生処理部１０２ｄは、他イベント情報を受信していないと判断した場合は（ステップＳＢ−９、Ｎｏ）、メニュー終了条件判定処理に移る（ステップＳＢ−１３）。
【０１０６】
イベントの優先度判定は、図７に示した例を用いて、例えば次のように行う。
【０１０７】
製品紹介や、ショーの告知、コンサート・映画の宣伝などのように、ロケーションと直接関連のない情報も含む多岐にわたる広告が放映されるケース（広告表示モード）では、図７に示したカテゴリのうち、来場者情報＞外界情報＞ロケーション設備情報の順で優先度を判定するように設定する。
【０１０８】
一方、ロケーション内店舗での販売製品・サービス情報などのように、情報閲覧者の購買活動がロケーション内で行われるケース（販売促進情報表示モード）では、ロケーション施設情報＞来場者情報＞外界情報の順で優先度を判定するように設定する。
【０１０９】
図９に戻り、広告表示装置１００は、ロケーション発生処理部１０２ｄの処理により、上記優先度判定の結果、他イベント情報が有効であり、かつ、優先度が現イベントよりも高いと判定した場合（ステップＳＢ−１１、Ｙｅｓ）、ロケーション発生処理部１０２ｄは、他イベントに係るプッシュ型メニューファイル２２ｂに切り替えるよう再生プレーヤー１０２ａに指示する（ステップＳＢ−１２）。これにより、再生プレーヤー１０２ａの処理により、他イベントによるプッシュ型メニューファイル２２ｂが再生表示される。他イベントが無効または優先度が現イベントよりも低い場合（ステップＳＢ−１１、Ｎｏ）、または、他イベントによるメニュー表示モードを実行した後（ステップＳＢ−１２）、メニュー終了条件判定処理に入る（ステップＳＢ−１３）。
【０１１０】
メニュー終了モードは、図８で示した（１）（２）（３）の他、（４）モニタディスプレイの前から見込み閲覧者が立ち去った場合や、（５）現在実行中のメニューに係るイベントが終了してしまった場合などに（ステップＳＢ−１３、Ｙｅｓ）、広告表示装置１００は、再生スケジュール管理部１０２ｂの処理により、メニュー表示モードを終了し、スケジュールモードへ切り替えることを再生プレーヤー１０２ａに指示するように構成してもよい（ステップＳＢ−１４）。
【０１１１】
ロケーション発生処理部１０２ｄがメニュー終了条件を満たさないと判定した場合は（ステップＳＢ−１３、Ｎｏ）、ステップＳＢ−８に戻り、メニュー表示モードを維持し、閲覧者の操作待ち状態に戻る（ステップＳＢ−８）。
【０１１２】
これにて、イベント順位判定処理が終了する。
【０１１３】
［実施例］
本広告配信表示システムを、Ｓｉｇｎｂｏｘに準拠しているＶＡＡＭ＋（Virtual Appliance Access Method Plus）（登録商標）プロトコルにアドオン（拡張機能設定）した場合の実施例を示す。なお、以下の説明にあたって、適宜図３を参照して説明を行う。
【０１１４】
[ＶＡＡＭ概要]
ＶＡＡＭ＋（以下「ＶＡＡＭ」）プロトコルにおける広告配信表示システムとは、画像、映像、およびテロップなどのテキスト情報など、広告に必要なコンテンツをネットワーク上のサーバから端末に配信し、配信したコンテンツをネットワークを介したサーバからの指示で自動再生させることを可能とするシステムである。このネットワークを用いた広告コンテンツ配信システムの概観を図１２に示す。図１２は、広告コンテンツ配信システムの概略図である。
【０１１５】
図１２に示すように、本実施例における広告配信表示システムは、広告コンテンツ作成者・システム管理者により操作される、広告コンテンツを配信する広告配信サーバ装置２００と、広告配信サーバ装置２００から広告コンテンツをダウンロードし、該広告コンテンツを再生表示する広告表示装置１００と、により構成されている。
【０１１６】
図１２に示すように、まず、広告コンテンツ作成者は、広告コンテンツを作成し（ステップＳＤ−１）、それを広告コンテンツ配信システムサーバに登録する（ステップＳＤ−２）。
【０１１７】
つぎに、広告配信サーバ装置２００は、配信待ちの後（ステップＳＤ−３）、広告表示装置１００に向け登録されている広告コンテンツを配信する（ステップＳＤ−４）。
【０１１８】
そして、広告表示装置１００は、受信した広告コンテンツを再生表示し（ステップＳＤ−５）、再生されたことをログとして保存する（ステップＳＤ−６）。
【０１１９】
また、広告表示装置１００は、保存されているログを、ネットワークを介して広告配信サーバ装置２００にアップロードする（ステップＳＤ−７）。
【０１２０】
広告配信サーバ装置２００は、収集されたログから（ステップＳＤ−８）、広告の再生状況に関するレポートを作成し、広告コンテンツ作成者・管理者に配布する（ステップＳＤ−９）。
【０１２１】
広告コンテンツ作成者・管理者は、レポートを用いて広告の効果を把握する（ステップＳＤ−１０）。
【０１２２】
なお、本実施例では、この広告配信サーバ装置２００と広告表示装置１００間で送受信される情報の規定および送受信の方法、また広告表示装置１００の動作規定を示しているが、広告コンテンツ作成者や管理者と広告配信サーバ装置２００間に関しては、特にその仕様を規定せず、なんら運用方法を限定するものではない。
【０１２３】
[ＶＡＡＭシステム構成]
つぎに、図１３に広告配信サーバ装置２００と広告表示装置１００間のシステム構成を図で示す。
【０１２４】
図１３に示すように、広告配信サーバ装置２００は、広告表示装置１００のログ収集を行う広告ログサーバ２００−Ａと、広告表示装置１００プレゼンテーションパック切り替えの制御を行う広告制御サーバ２００−Ｂと、プレゼンテーションパック２などの広告コンテンツの配信を行う広告配信サーバ２００−Ｃと、の３つで構成される。これらは、実施の形態の図３に示した構成のうち、広告ログサーバ２００−Ａはログ集計部２０２ｂに相当する機能を有し、広告制御サーバ２００−Ｂと広告配信サーバ２００−Ｃは、端末管理部２０２に相当する機能を担っている。
【０１２５】
ここで、広告コンテンツ配信システムでは、広告コンテンツをプレゼンテーションパックという単位で扱う。その構成は、基本的に実施の形態の図４で示した例と同様である。
【０１２６】
つまり、プレゼンテーションパック２は、（１）複数のプレゼンテーションと、（２）プレゼンテーションを自動再生する自動プレゼンスクリプトもしくは手動で選択するためのデマンド型／プッシュ型メニューまたはその両方と、（３）プレゼンテーションパック内の構成やプレゼンテーションパックのＩＤが記述されるプレゼンテーションパック情報と、から構成される（図４参照）。ＶＡＡＭプロトコル仕様では、配信や広告表示装置１００での広告コンテンツの切り替えは、基本的にこのプレゼンテーションパック単位で行われる。
【０１２７】
しかし、プレゼンテーションパック２は、上記以外の他の内容が含まれていてもかまわない。例えば、広告コンテンツが、１週間内容が変わらない運用形態の場合、プレゼンテーションパック２は、１週間分のプレゼンテーションと、そのメニューと、一週間分スケジュールを含む自動プレゼンテーションスクリプトと、プレゼンテーションパック情報で構成されることとすることができる。
【０１２８】
また、プレゼンテーションパック２は、基本的には、プレゼンテーションパック情報１つと、メニュー1つと、自動プレゼンテーションスクリプト1つと、プレゼンテーション複数と、から構成されている。しかし、構成はこれに限られず、メニューは、複数のファイルで構成されていてもよく、また、各プレゼンテーションは複数のファイルで構成されていてもよい。
【０１２９】
また、「プレゼンテーションファイル」は、テンプレートデータと素材データから構成される。ただし、広告／情報表示端末内に使用テンプレートが既に存在している場合は、テンプレートファイルはプレゼンテーションファイルに必ずしも含まれる必要はなく、この例に限られない。
【０１３０】
ここで、広告表示装置１００の表示画面の一例を、図１０を参照して説明する。図１０は、広告端末の表示画面の一例を示す図である。
【０１３１】
図１０に示すように、表示画面２４１に、ＭＰＥＧ形式のファイルを表示する動画表示エリア２４２と、ＪＰＥＧ形式のファイルを表示する静止画表示エリア２４３と、ＰＮＧ形式のファイルを表示する静止画表示エリア２４４と、テキストファイルを表示するテキストスクロールエリア２４５との４つのエリアを含む１つの番組を表示するとする。
【０１３２】
この場合、再生用テンプレートファイルには、動画表示エリア２４２に関しては、動画表示エリア２４２を示す表示エリア名の表示位置情報、その表示サイズ、および動画表示エリア２４２を示す表示エリア名と再生プレーヤー（この場合、或る一つの動画プレーヤー）との関連付け情報が定義され、静止画表示エリア２４３に関しては、静止画表示エリア２４３を示す表示エリア名の表示位置情報、その表示サイズ、および静止画表示エリア２４３を示す表示エリア名と再生プレーヤー（この場合、或る一つの静止ビューワー）との関連付け情報が定義され、静止画表示エリア２４４に関しては、静止画表示エリア２４４を示す表示エリア名の表示位置情報、その表示サイズ、および静止画表示エリア２４４を示す表示エリア名と再生プレーヤー（この場合、或る一つの静止ビューワー）との関連付け情報が定義され、テキストスクロールエリア２４５に関しては、テキストスクロールエリア２４５を示す表示エリア名の表示位置情報、その表示サイズ、およびテキストスクロールエリア２４５を示す表示エリア名と再生プレーヤー（この場合、或る一つのテキストスクロールエンジン）との関連付け情報が定義される。
【０１３３】
このように、再生用テンプレートファイルには、各表示エリアの表示位置、表示サイズおよび各表示エリアと再生プレーヤーとの関連付け情報などが定義されており、再生用テンプレートファイルの定義によって、表示画面２４１のレイアウトを簡単に変更することができる。換言すれば、異なる定義の再生用テンプレートファイルを複数準備しておき、使用する再生用テンプレートファイルによって表示レイアウトを変更したり、同じ再生用テンプレートファイルを用いて各表示エリアに表示する素材データを変更するだけで異なる番組を作成することが可能となる。
【０１３４】
ここで、「素材データ」とは、テンプレート内で使用するコンテンツデータであり、例えば、ｍｐｇファイル、ｊｐｇファイル、Ｆｌａｓｈファイル、テキストファイルなどをいう。
【０１３５】
[ＶＡＡＭ動作シーケンス]
つぎに、図１４を参照して、広告コンテンツ配信システムの基本動作シーケンスを示す。
【０１３６】
まず、広告コンテンツ登録者は、作成された広告コンテンツを元に作成された配信単位であるプレゼンテーションパック２を広告配信サーバ２００−Ｃに登録する（ステップＳＥ−１）。ここで、ステップＳＥ−１〜ＳＥ―５の処理はほぼ同時に行われることを想定されている。
【０１３７】
また、広告コンテンツ登録者は、登録したプレゼンテーションパック２をどのタイミングで広告表示装置１００においてアクティブにするかまたは、プレゼンテーションが不要になる時期はいつか広告制御サーバに登録する（ステップＳＥ−２）。
【０１３８】
ここで、広告制御サーバ２００−Ｂは、登録されたタイミングに従い広告制御記述言語で記述された広告制御メタファイルの作成が出来る情報取得完了（作成待機状態）になる（ステップＳＥ−３）。
【０１３９】
また、広告コンテンツ登録者は、登録したプレゼンテーションパック２をどのタイミングで広告表示装置１００に配信するのか、また、どのタイミングで広告表示装置１００から削除するのか広告配信サーバ２００−Ｃに登録する（ステップＳＥ−４）。
【０１４０】
広告配信サーバ２００−Ｃは、登録されたプレゼンテーションパック２配信のタイミングに従い、広告配信記述言語で記述された広告配信メタファイルを作成する（ステップＳＥ−５）。
【０１４１】
つぎに、広告表示装置１００は、ポーリングにより、広告配信サーバから広告配信メタファイルを取得する（ステップＳＥ−６）。そして、広告配信メタファイルに従い、広告表示装置１００は、広告配信サーバ２００−Ｃからプレゼンテーションパック２を取得する（ステップＳＥ−７）。
【０１４２】
プレゼンテーションパック２の取得完了後、広告表示装置１００は、広告配信メタファイルに記述された報告先（広告配信サーバ２００−Ｃ・広告制御サーバ２００−Ｂ）にプレゼンテーションパック２の取得完了を報告する（ステップＳＥ−８）。
【０１４３】
取得完了の報告を受け取った報告先（広告配信サーバ２００−Ｃ・広告制御サーバ２００−Ｂ）は、作成待機状態となっている広告制御メタファイルを作成する（ステップＳＥ−９）。
【０１４４】
つぎに、広告表示装置１００は、ポーリングにより、広告制御サーバ２００−Ｂから広告制御メタファイルを取得する（ステップＳＥ−１０）。
【０１４５】
そして、広告表示装置１００は、広告制御メタファイルに従い、広告配信サーバ２００−Ｃから取得したプレゼンテーションパック２をアクティブに変更する（ステップＳＥ−１１）。そして、プレゼンテーションパック２の情報に従い、プレゼンテーションパック２内の広告コンテンツが再生される（ステップＳＥ−１２）。
【０１４６】
また、広告表示装置１００は、同時に再生が正常に行われた等のログを蓄積する。そして、広告表示装置１００はログを広告ログサーバ２００−Ａにアップロードする（ステップＳＥ−１３）。
【０１４７】
そして、広告ログサーバ２００−Ａは、再生の統計情報などの広告レポートを作成し、広告コンテンツ登録者等に報告する（ステップＳＥ−１４）。
【０１４８】
つづいて、広告配信サーバ２００−Ｃは、登録されたプレゼンテーションパック２の消去時期の情報に従い、プレゼンテーションパック２の消去を判断する（ステップＳＥ−１５）。また、広告配信サーバ２００−Ｃは、プレゼンテーションパック２の消去判断に従い、プレゼンテーションパック２を消去する広告配信メタファイルを作成する（ステップＳＥ−１６）。
【０１４９】
つぎに、広告配信サーバ装置２００は、ポーリングにより、広告配信サーバ２００−Ｃから広告配信メタファイルを取得する（ステップＳＥ−１７）。広告表示装置１００は、取得した広告配信メタファイルに従い、プレゼンテーションパック２を消去する（ステップＳＥ−１８）。
【０１５０】
プレゼンテーションパック２の消去完了後、広告配信サーバ装置２００は、広告配信メタファイルに記述された報告先（広告配信サーバ２００−Ｃ・広告制御サーバ２００−Ｂ）にプレゼンテーションパック２の消去完了を報告する（ステップＳＥ−１９）。
【０１５１】
以上が、ＶＡＡＭ動作シーケンスのフローである。
【０１５２】
[メニューとプレゼンテーションの関係]
図１５は、メニューとプレゼンテーションの関係を示した図である。図１５に示すように、メニューは広告端末ユーザが手動でプレゼンテーションを再生するための情報とユーザインターフェースを提供する。メニューからプレゼンテーションを再生選択すると選択されたプレゼンテーションが再生され、再生が終了するとメニューに戻る。
【０１５３】
[自動プレゼンテーションスクリプトとプレゼンテーションの関係]
図１６は、自動プレゼンテーションスクリプトとプレゼンテーションの関係を示した図である。図１６に示すように、自動プレゼンテーションスクリプトはメニューにおける広告端末ユーザの再生選択を自動化し、無人でのプレゼンテーション再生を可能にする。自動プレゼンテーションスクリプトには、プレゼンテーションとその再生スケジュールが記述されており、広告表示装置１００はこのスケジュールに従いプレゼンテーションの再生をおこなう。
【０１５４】
[メニューと自動プレゼンテーションスクリプトの関係]
広告表示装置１００には２つのプレゼンテーションのモードが存在する。１つはメニューから手動でプレゼンテーションを再生するモードであり、もう１つは自動プレゼンテーションスクリプトにより自動でプレゼンテーションを再生するモードである。この２つのモードは互いに排他であり、広告表示装置１００は必ずどちらかのモードの状態にある。
【０１５５】
両方のモードをサポートする広告表示装置１００は、広告端末ユーザからの操作等および広告制御サーバ２００−Ｃからの広告制御メタファイル等イベント情報によって２つのモードを切り替えられ、次にモードを切り替えられるまで、どちらのモードの状態であるかという情報を保持している。
【０１５６】
ここで、ＶＡＡＭプロトコル仕様で規定された、自動プレゼンスクリプトモード（スケジュール再生モード）とメニューモードの排他的切り替えの態様について、図１１を参照して、説明を行う。図１１は、ＶＡＡＭプロトコル仕様で規定された、スケジュール再生モードとメニューモードの排他的切り替えの態様を示した図である。
【０１５７】
図１１に示すように、「通常の情報・広告表示」状態では、自動プレゼンスクリプトによって、スケジュール再生が実行されている。
【０１５８】
ここで、イベント発生や操作等があると、広告表示装置１００の制御部は、プログラム１に対して、［Ｈｏｍｅ］の命令を送る（ステップＳＣ−１）。これにより、再生プレーヤー１０２ａがメニューファイルに基づいて、メニューを表示する。
【０１５９】
つぎに、メニュー表示モードに移行すると、プログラム１は、一定時間、閲覧者からの操作待ち状態に移行する。このとき、閲覧者がマウス等により項目を選択（クリック等）すると、項目選択情報と［Ｅｎｔｅｒ］命令が入力され、サブメニューを選択した場合は、サブメニューを表示する（ステップＳＣ−２）。一方、再生用項目を選択した場合は、メニュー表示モードからメニュー再生モードへ切り替わり、再生プレーヤー１０２ａは、情報・広告を再生表示する（ステップＳＣ−３）。サブメニュー表示画面で、閲覧者が再生用項目を選択した場合も、同様に情報・広告を再生表示する（ステップＳＣ−４またはステップＳＣ−５）。
【０１６０】
また、サブメニュー再生中に［Ｂａｃｋ  Ｓｐａｃｅ］が閲覧者により、入力されると（ステップＳＣ−６）、再生プレーヤー１０２ａは、サブメニューファイルに基づいて表示し、サブメニュー表示画面に戻る。また、サブメニュー表示画面で、［Ｂａｃｋ  Ｓｐａｃｅ］キーが入力された場合は、サブメニュー表示画面から上位のメニュー表示画面に切り替えられる（ステップＳＣ−７，８）。
【０１６１】
また、トップメニュー表示画面でない場合に、閲覧者によって［Ｈｏｍｅ］キーが入力されると（ステップＳＣ−９，１０，１１，１２，１３）、再生プレーヤー１０２ａの処理により、トップメニュー表示画面に切り替えられる。
【０１６２】
以上のメニュー再生モードを含むメニュー表示モードのいずれの状態であっても、ＶＡＡＭプロトコルは、［Ｅｎｄ］キーが入力されると、自動プレゼンスクリプトモード（スケジュール再生モード）に切り替わるように設定されている（ＳＣ−１４）。そのため、本広告配信表示システムをＶＡＡＭプロトコルにアドオンした場合は、一定の終了条件を満たした場合に、再生スケジュール管理部１０２ｂが［Ｅｎｄ］命令をプログラムに送り、再生プレーヤー１０２ａの処理により、メニュー再生モードから自動プレゼンスクリプトモード（スケジュール再生モード）に切り替え表示されることになる。
【０１６３】
このように、メニュー動作モード（端末ユーザによるプレゼンテーションの手動再生）と自動プレゼンテーションスクリプト動作モード（プレゼンテーションのスケジュール自動再生）を設定し、ＶＡＡＭ仕様上で、排他的であると規定したために、メニューはスケジュール再生をプロトコル上合法にインタラプトできることとなる。
【０１６４】
これにて、ＶＡＡＭプロトコル上に本広告配信システムをアドオンした実施例の説明を終える。上記のように本広告配信表示システムを、ＶＡＡＭプロトコルにアドオンしたことにより、上記実施の形態で示した効果に加え、特にＣＲＭ（Customer Relationship Management）活動の一環として、既存プロトコルのシーズにあわせた簡易な工夫で広告ショーアップ（訴求効果の増大）を図ることができることとなる。
【０１６５】
［他の実施の形態］
さて、これまで本広告配信表示システムの実施の形態について説明したが、本広告配信表示システムは、上述した実施の形態以外にも、上記特許請求の範囲に記載した技術的思想の範囲内において種々の異なる実施の形態にて実施されてよいものである。
【０１６６】
特に以上の実施の形態においては、本広告配信表示システムをイベント会場用大画面広告への適用を想定した例として説明したが、この場合に限られず、例えば、デジタルサイネージ市場（広告、告知、販促）、ｅ−ラーニング市場、ＰＤＡを使用した個人向け情報提供システム等全ての情報提供分野において、同様に適用することができる。
【０１６７】
また、例えば、上記の本広告配信表示システムの広告表示装置では、スケジュール再生中に操作等またはイベント発生があった場合に、スケジュール再生を停止し、これをメニュー表示モードに切り替えることとしたが、本広告配信表示システムの実施の形態は、これに限られず、サーバ運用者のオペレーション等のイベント発生があった場合に、プッシュ型ロケーション用番組をスケジュール再生用の広告番組表へ挿入して、広告表示装置において割り込み再生・表示させることとしてもよい。
【０１６８】
または、上記の場合であって、スケジュール再生の番組プログラムに予めロケーション番組枠を設定しておき、ここに発生イベントに依存した広告表示用情報を再生することにしてもよい。
【０１６９】
この場合、システム用プログラムの変更を行わずに、運用手法の改良のみで実行したので、好機性は実施の形態と比べて多少損なわれるものの、簡単な運用変更を行うのみで同様の効果が得られる。ただし、ロケーション用の番組がない場合やイベントが発生しなかった場合に、アサインされた（割り当てられた）時間帯枠が無駄になるというデメリットもある。
【０１７０】
また、上記実施の形態では、広告表示装置１００がスタンドアローンの形態で処理を行う場合を一例に説明したが、広告表示装置１００とは別筐体で構成されるクライアント端末からの要求に応じて処理を行い、その処理結果を当該クライアント端末に返却するように構成してもよい。また、広告配信サーバ装置２００は、制御情報ファイル作成装置２２０と別筺体で制御情報ファイル作成送信手段を行うこととしたが、これに限らず、同一筺体で制御情報ファイル作成送信手段を実現し、広告作成配信サーバ装置としてもよい。
【０１７１】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１７２】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１７３】
また、広告表示装置１００、広告配信サーバ装置２００、制御情報ファイル作成装置２２０、監視装置２４０、およびロケーションサーバ装置４００に関して、図示の各構成要素は機能概略的なものであり、必ずしも物理的に図示の如く構成されていることを要しない。
【０１７４】
例えば、広告表示装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて広告表示装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１７５】
また、このコンピュータプログラムは、広告表示装置１００に対して任意のネットワーク３００を介して接続されたアプリケーションプログラムサーバに記憶されていてもよく、必要に応じてその全部または一部をダウンロードすることも可能である。
【０１７６】
また、本広告配信表示システムに係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１７７】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１７８】
記憶部１０６に格納される各種のデータベース等（再生用テンプレート・素材データ格納部１０６ａ）または広告配信サーバ装置２００の記憶部に格納される各種のデータベース等（広告／情報データ格納部２０６ａ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０１７９】
また、広告表示装置１００は、既知のパーソナルコンピュータ、ワークステーション等の情報処理装置を接続し、該情報処理装置に本広告配信表示システムの方法を実現させるソフトウェア（プログラム、データ等を含む）を実装することにより実現してもよい。
【０１８０】
更に、装置の分散・統合の具体的形態は図示するものに限られず、その全部または一部を、各種の付加等に応じた任意の単位で、機能的または物理的に分散・統合して構成することができる。
【図面の簡単な説明】
【０１８１】
【図１】本広告配信表示システムの概要を示す概念図である。
【図２】スケジュール再生モード、デマンド型メニュー表示モード、およびプッシュ型メニュー表示モードの切り替えを示す概念図である。
【図３】本広告配信表示システムが適用される本システム構成の一例を示すブロック図である。
【図４】再生用テンプレート・素材データ格納部１０６ａおよび広告／情報データ格納部２０６ａに格納される広告制御情報の一例を示す図である。
【図５】スケジュール再生モードとデマンド型メニュー表示モードとプッシュ型メニュー表示モードの違いを示す概念図である。
【図６】広告表示装置１００の構成の詳細を示すブロック図である。
【図７】本実施の形態における本システムのイベント検知処理の一例を示す図である。
【図８】本実施の形態における本システムの表示切替処理の一例を示すフローチャートである。
【図９】本実施の形態における本システムのイベント順位判定処理の一例を示すフローチャートである。
【図１０】広告端末の表示画面の一例を示す図である。
【図１１】ＶＡＡＭプロトコル仕様で規定された、スケジュール再生モードとメニューモードの排他的切り替えの仕組みを示した図である。
【図１２】広告コンテンツ配信システムの概略図である。
【図１３】広告配信サーバ装置２００と広告表示装置１００間のシステム構成を示した図である。
【図１４】広告コンテンツ配信システムの基本動作シーケンス図である。
【図１５】メニューとプレゼンテーションの関係を示した図である。
【図１６】自動プレゼンテーションスクリプトとプレゼンテーションの関係を示した図である。
【符号の説明】
【０１８２】
１  プログラム
２  プレゼンテーションパック
２１  パック情報ファイル
２２  メニューファイル
２２ａ  デマンド型メニューファイル
２２ｂ  プッシュ型メニューファイル
２３  スケジュールファイル
２４−１〜２４−ｎ  プレゼンテーションファイル
１００，１００ａ，１００ｂ，１００ｃ  広告表示装置
１０２  制御部
１０２ａ  再生プレーヤー
１０２ｂ  再生スケジュール管理部
１０２ｃ  通信制御部
１０２ｄ  ロケーション発生処理部
１０３  ＣＰＵ
１０４  ネットワークＩ／Ｆ
１０６  記憶部（内部記憶装置）
１０６ａ  再生用テンプレート・素材データ格納部
１０７  ＲＡＭ
１０８  周辺機器とのＩ／Ｆ
１１２  入力部
１１４  出力部
１１４ａ  ディスプレイ
１１４ｂ  スピーカー
２００  広告配信サーバ装置
２００−Ａ  広告ログサーバ
２００−Ｂ  広告制御サーバ
２００−Ｃ  広告配信サーバ
２０６ａ  広告／情報データ格納部
２０２ａ  端末管理部
２０２ｂ  ログ集計部
２０２ｃ  プレゼンテーションパック作成部
２２０  制御情報ファイル作成装置
２４０  監視装置
２４１  表示画面
２４２  動画表示エリア
２４３  静止画表示エリア
２４４  静止画表示エリア
２４５  テキストスクロールエリア
３００  ネットワーク
４００  ロケーションサーバ装置
【図１】
0004724589.tif 000002
【図２】
0004724589.tif 000003
【図３】
0004724589.tif 000004
【図４】
0004724589.tif 000005
【図５】
0004724589.tif 000006
【図６】
0004724589.tif 000007
【図７】
0004724589.tif 000008
【図８】
0004724589.tif 000009
【図９】
0004724589.tif 000010
【図１０】
0004724589.tif 000011
【図１１】
0004724589.tif 000012
【図１２】
0004724589.tif 000013
【図１３】
0004724589.tif 000014
【図１４】
0004724589.tif 000015
【図１５】
0004724589.tif 000016
【図１６】
0004724589.tif 000017